(57)【要約】【課題】脱着が迅速となり、修理が容易となり、多くのタイプの自転車に適用することが可能なクランク用感応具固定装置を提供する。【解決手段】クランク用感応具固定装置は、主体１０と、締結具２０と、弾性具３０と、を備える。主体１０は、感応端１１、および、締結端１２を有する。感応端１１には、感応具１４を設けることが可能である。締結端１２の軸方向には、ねじ穴１５が設けられる。締結具２０は、一端がねじ穴１５に螺合することが可能なねじ軸２１であり、他端が固定端２２である。ねじ軸２１と固定端２２の間には、テーパ段２３が設けられる。弾性具３０は、ねじ軸２１に嵌め込まれており、テーパ段２３と締結端１２の間に位置する。【選択図】図２
0003189975.tif 000002
【実用新案登録請求の範囲】
【請求項１】
感応端、および、締結端、を有し、前記感応端に感応具を設けることが可能であり、前記締結端の軸方向にねじ穴が設けられている主体と、
一端が前記ねじ穴に螺合することが可能なねじ軸であり、他端が固定端であり、前記ねじ軸と前記固定端の間にテーパ段が設けられている締結具と、
前記ねじ軸に嵌め込まれており、前記テーパ段と前記締結端の間に位置する弾性具と、
を備えることを特徴とするクランク用感応具固定装置。
【請求項２】
前記テーパ段の直径は、前記ねじ軸から前記固定端へ徐々に拡径することを特徴とする請求項１に記載のクランク用感応具固定装置。
【請求項３】
前記固定端の断面形状は、多角形を呈することを特徴とする請求項１に記載のクランク用感応具固定装置。
【請求項４】
前記弾性具は、弾性を有するリングであることを特徴とする請求項１に記載のクランク用感応具固定装置。
【請求項５】
前記主体の両側には、少なくとも一対の互いに平行する操作面が設けられていることを特徴とする請求項１に記載のクランク用感応具固定装置。
【考案の詳細な説明】
【技術分野】
【０００１】
本考案は、自転車のクランクに取り付けられており、自転車の速度、踏込み頻度、回転数、又は距離を測定するための感応具に関し、特に、脱着が迅速となるクランク用感応具固定装置に関するものである。
【背景技術】
【０００２】
自転車の速度、踏込み頻度、回転数、又は距離などの情報を測定するために、フレームには、ディスプレイと、測定装置と、が設けられており、クランクには、クランクと共に回転する感応具が設けられていることが一般的である。測定装置が前記感応具の通過回数を測定することにより、自転車の速度、踏込み頻度、回転数、又は距離などの情報に換算することが可能である。
【０００３】
例えば特許文献１のクランク用感応具は、自転車の主体に回転数測定部が設けられており、クランクに磁石ベースが設けられている。磁石ベースが回転数測定部を通過する時間及び回数を測定することにより、自転車の走行速度、走行距離及びその他の情報を得ることが可能である。
【先行技術文献】
【特許文献】
【０００４】
【特許文献１】米国特許第４６３６７６９号公報
【考案の概要】
【考案が解決しようとする課題】
【０００５】
バンドにより磁石ベースがクランクの中段に固定する方式を採用する場合、磁石ベースが自転車の走行による振動によって移動して、自転車の走行速度、走行距離及びその他の情報を正確に測定することができない。磁石ベースが自転車の走行による振動によって移動した場合、バンドを取り替えて、クランクの中段に磁石ベースを新たに固定することが必要である。
また、バンドにより磁石ベースをクランクの中段に固定すると、全体の見栄えが悪くなり、自転車の高級感が損なわれるという問題がある。
【０００６】
本考案の主な目的は、ペダルを有する自転車用クランクに適用され、脱着が迅速となり、修理が容易となり、多くのタイプの自転車に適用することが可能であり、全体の見栄えを向上することが可能なクランク用感応具固定装置を提供することにある。
【課題を解決するための手段】
【０００７】
本考案のクランク用感応具固定装置は、主体と、締結具と、弾性具と、を備える。主体は、感応端、および、締結端、を有する。感応端には、感応具を設けることが可能である。締結端の軸方向には、ねじ穴が設けられている。
締結具は、一端がねじ穴に螺合することが可能なねじ軸であり、他端が固定端である。ねじ軸と固定端の間には、テーパ段が設けられている。
弾性具は、ねじ軸に嵌め込まれており、テーパ段と締結端の間に位置する。
【０００８】
本考案のクランク用感応具固定装置によると、テーパ段の直径は、ねじ軸から固定端へ徐々に拡径する。
【０００９】
本考案のクランク用感応具固定装置によると、固定端の断面形状は、多角形を呈する。
【００１０】
本考案のクランク用感応具固定装置によると、弾性具は、弾性を有するリングである。
【００１１】
本考案のクランク用感応具固定装置によると、主体の両側には、少なくとも一対の互いに平行する操作面が設けられている。
【考案の効果】
【００１２】
本考案のクランク用感応具固定装置によれば、次のような効果がある。
（１）ペダルを有する自転車用クランクに適用され、ペダルの回転軸心がクランクの末端に設けられており、回転軸心の端部に工具穴が設けられている。締結具の固定端と弾性具が工具穴の内部に入れられると、固定端が工具穴に係合することにより回転不能となる。また、主体を回転すると、テーパ段と締結端の距離が変化して、弾性具は、テーパ段に圧迫されて拡径して、工具穴の内部に固定される。
【００１３】
（２）弾性具とテーパ段との合わせを利用して、弾性具の径方向の寸法を調整することが可能であるため、脱着が迅速となり、修理が容易となり、多くのタイプの自転車に適用することが可能であり、全体の見栄えを向上することが可能である。
【図面の簡単な説明】
【００１４】
【図１】本考案の第１実施形態によるクランク用感応具固定装置の組合済みの状態を示す斜視図である。
【図２】本考案の第１実施形態によるクランク用感応具固定装置を示す分解斜視図である。
【図３】本考案の第１実施形態によるクランク用感応具固定装置の使用状態を示す模式図である。
【図４】本考案の第１実施形態によるクランク用感応具固定装置の取付動作を示す模式的な断面図である。
【図５】本考案の第１実施形態によるクランク用感応具固定装置の取付動作を示す模式的な断面図である。
【図６】本考案の第２実施形態によるクランク用感応具固定装置を示す分解斜視図である。
【考案を実施するための形態】
【００１５】
以下、本考案の実施の形態を図面に基づいて説明する。
（第１実施形態）
本考案の第１実施形態によるクランク用感応具固定装置を図１から図５に示す。説明を容易にするために、図面における部品は、比例、寸法、変形量又は変位量が実際の部品の比例によって描くことではない。そして類似する部品は、同じ符号を付ける。
【００１６】
本実施例のクランク用感応具固定装置は、主体１０と、締結具２０と、弾性具３０と、を備える。
主体１０は、一端が感応端１１であり、他端が締結端１２である。感応端１１には、感応具１４を設けるための嵌合空間１３が設けられている。感応具１４は、磁石、又は磁石と同じ効果を有するものである。締結端１２の軸方向にねじ穴１５が設けられている。主体１０の周壁の両側には、少なくとも一対の互いに平行する操作面１６が設けられている。
【００１７】
締結具２０は、一端がねじ穴１５に螺合することが可能なねじ軸２１であり、他端が固定端２２である。固定端２２の断面形状は多角形を呈する。例えば固定端２２の断面形状は六角形を呈してもよい。ねじ軸２１と固定端２２の間にテーパ段２３が設けられている。テーパ段２３の直径は、ねじ軸２１から固定端２２へ徐々に拡径する。
【００１８】
弾性具３０は、ねじ軸２１に嵌め込まれており、テーパ段２３と締結端１２の間に位置する。弾性具３０は、弾性を有するリング（例えばＯリング、又は樹脂やゴム製のリングなど）である。
【００１９】
次に、本実施形態の動作の原理を説明する。図３を参照する。本実施形態のクランク用感応具固定装置は、自転車用クランク１００に適用され、自転車用クランク１００の末端にねじ穴１０１が設けられている。ねじ穴１０１には、ペダル１０２の回転軸心１０３が連接されている。回転軸心１０３の端部に工具穴１０４が設けられている。工具穴１０４は、六角穴であることが一般的である。これにより、スパナなどの工具により、ねじ穴１０１にペダル１０２の回転軸心１０３を脱着することが可能である。
【００２０】
図４を参照する。締結具２０の固定端２２が工具穴１０４の形状に合うように設計されるため、工具穴１０４に固定端２２を入れると、工具穴１０４の壁面が固定端２２を緊密に嵌めるため、固定端２２が回転不能となる。手で主体１０を直接に回転させる、或いは、スパナなどの工具によって操作面１６を挟んで主体１０を回転させると、テーパ段２３と締結端１２との距離が小さくなり、弾性具３０は、テーパ段２３に圧迫されて拡径し、図５に示すように、工具穴１０４の壁面に圧迫されて、工具穴１０４の内部に固定される。
【００２１】
逆に、本考案のクランク用感応具固定装置を取外したいときには、主体１０を逆転させると、テーパ段２３と締結端１２の距離が大きくなり、弾性具３０は、自体の弾性により縮径して、工具穴１０４の壁面から離れる。これにより、本実施形態のクランク用感応具固定装置を容易に取外することが可能である。
【００２２】
（第２実施形態）
本考案の第２実施形態によるクランク用感応具固定装置を、図６を参照して説明する。弾性具３０’は、Ｃリングであり、第１実施形態の弾性具３０と同じ効果を達成することが可能である。
【００２３】
このように、本考案を特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２４】
本考案は、自転車に適用することができる。
【符号の説明】
【００２５】
１０：主体
１１：感応端
１２：締結端
１３：嵌合空間
１４：感応具
１５：ねじ穴
１６：操作面
２０：締結具
２１：ねじ軸
２２：固定端
２３：テーパ段
３０、３０’：弾性具
１００：自転車用クランク
１０１：ねじ穴
１０３：回転軸心
１０４：工具穴
【図１】
0003189975.tif 000003
【図２】
0003189975.tif 000004
【図３】
0003189975.tif 000005
【図４】
0003189975.tif 000006
【図５】
0003189975.tif 000007
【図６】
0003189975.tif 000008